(57)【要約】【課題】ユーザ嗜好データという個人情報をインターネット上に流すことなく、ユーザの嗜好にあった広告の取得が可能なＣＭ取得システム及びそのプログラムを提供する。【解決手段】ディスク１１１に記録され、再生部１１を介して記録再生装置１に読み出されて、ＯＳ（１１Ａ）上に実現されたＪａｖａ実行環境１３Ｂ下で実行されるプログラム１１Ｐであって、コンテンツに対するユーザ嗜好データを作成して更新し、ユーザ嗜好データに基づいてユーザの嗜好に合うＣＭ又は広告を検出し、検出されたＣＭ又は広告とＣＭ又は広告の取得先のＵＲＬとを対応付けたインデックス情報を作成して更新し、再生されるコンテンツ、ユーザ嗜好データ、及びインデックス情報に基づいて、ネットワーク上の取得先のＵＲＬを決定してＣＭ又は広告を要求し、取得されたＣＭ又は広告を再生するステップを、記録再生装置１に行わせる構成を有している。【選択図】図２
2010081490.tif 000002
【特許請求の範囲】
【請求項１】
ＡＶ（Audio Visual）装置に、
番組を含むコンテンツに対するユーザの嗜好の判断に使用可能なユーザ嗜好データを作成する第１のステップと、
前記第１のステップで作成されたユーザ嗜好データを更新する第２のステップと、
前記第１のステップで作成され又は前記第２のステップで更新されたユーザ嗜好データに基づいて、ユーザの嗜好に合うＣＭ又は広告を検出し、検出されたＣＭ又は広告とネットワーク上のＣＭ又は広告の取得先のＵＲＬとを対応付けた情報を含むインデックス情報を作成する第３のステップと、
前記第３のステップで作成されたインデックス情報を更新する第４のステップと、
再生するコンテンツ、前記ユーザ嗜好データ、及び前記インデックス情報に基づいて、ネットワーク上の前記取得先のＵＲＬを決定してＣＭ又は広告を要求し、取得する第５のステップと、
前記第５のステップで取得されたＣＭ又は広告を再生する第６のステップと、
を行わせる、ことを特徴とするＣＭ取得プログラム。
【発明の詳細な説明】
【技術分野】
【０００１】
本発明は、ネットワーク経由の通信を介して又はメディアからユーザの嗜好に応じたＣＭ（広告）を取得して再生可能とするＣＭ取得システム及びそのプログラムに関する。
【背景技術】
【０００２】
近年のデジタル放送、Blu-rayディスク等の急速な普及に伴って、これらのメディアに向けたデジタル化技術、ネットワーク機能等が著しく進展してきている。その結果、家庭のＡＶ機器からインターネット接続が可能なものも出現してきている。また、これらのインターネット接続を介してコンテンツタイトルの提供元から最新の広告情報を取得するＪａｖａ（登録商標）プログラムを、Blu-rayディスクに記録する技術も知られている。
【０００３】
このような状況下で、放送及び／又は通信回線を介して得られた電子番組ガイド情報又はＤＶＤ、ＣＤ等に記録されたタイトルコンテンツタイトル、に対するユーザの利用状況からユーザ嗜好を検出する、技術が知られている（例えば、特許文献１参照。）。これによって、例えばユーザの嗜好に応じたコンテンツを外部のサーバに要求して取得し、コンテンツの視聴が可能となる。また、視聴中のコンテンツに対するリアクションを利用して視聴者の嗜好を自動的に採取し、嗜好からなる嗜好情報を作成する、技術も知られている（例えば、特許文献２参照。）。
【特許文献１】特開２００７−１０４３１２号公報
【特許文献２】特許第３７０８７８０号公報
【発明の開示】
【発明が解決しようとする課題】
【０００４】
しかしながら、従来の技術では、以下に記載するような問題を有していた。また、特許文献１及び特許文献２に記載の技術はユーザ嗜好データをインターネット上に流すものであり、個人情報漏洩の危険性がある。さらに、データ提供を受けられるサーバが固定されているため、得られるＣＭ（広告）に偏りがある。
【０００５】
以上の現状に鑑み、本発明の目的は、ユーザ嗜好データという個人情報をインターネット上に流すことなく、ユーザの嗜好にあった広告の取得が可能なＣＭ取得システム及びそのプログラムを提供する。
【課題を解決するための手段】
【０００６】
上記の課題を解決すべく、本発明は以下の構成を提供する。
請求項１に係る発明は、ＡＶ装置に、番組を含むコンテンツに対するユーザの嗜好の判断に使用可能なユーザ嗜好データを作成する第１のステップと、前記第１のステップで作成されたユーザ嗜好データを更新する第２のステップと、前記第１のステップで作成され又は前記第２のステップで更新されたユーザ嗜好データに基づいて、ユーザの嗜好に合うＣＭ又は広告を検出し、検出されたＣＭ又は広告とネットワーク上のＣＭ又は広告の取得先のＵＲＬとを対応付けた情報を含むインデックス情報を作成する第３のステップと、前記第３のステップで作成されたインデックス情報を更新する第４のステップと、再生するコンテンツ、前記ユーザ嗜好データ、及び前記インデックス情報に基づいて、ネットワーク上の前記取得先のＵＲＬを決定してＣＭ又は広告を要求し、取得する第５のステップと、前記第５のステップで取得されたＣＭ又は広告を再生する第６のステップと、を行わせる、ことを特徴とする。
【発明の効果】
【０００７】
請求項１に係る発明によれば、ＡＶ装置に、番組を含むコンテンツに対するユーザの嗜好の判断に使用可能なユーザ嗜好データを作成する第１のステップと、第１のステップで作成されたユーザ嗜好データを更新する第２のステップと、第１のステップで作成され又は第２のステップで更新されたユーザ嗜好データに基づいて、ユーザの嗜好に合うＣＭ又は広告を検出し、検出されたＣＭ又は広告とネットワーク上のＣＭ又は広告の取得先のＵＲＬとを対応付けた情報を含むインデックス情報を作成する第３のステップと、第３のステップで作成されたインデックス情報を更新する第４のステップと、再生するコンテンツ、ユーザ嗜好データ、及びインデックス情報に基づいて、ネットワーク上の取得先のＵＲＬを決定してＣＭ又は広告を要求し、取得する第５のステップと、第５のステップで取得されたＣＭ又は広告を再生する第６のステップと、を行わせるため、ユーザ嗜好データという個人情報をインターネット上に流すことなく、ユーザの嗜好にあった広告の取得が可能なＣＭ取得プログラムを実現することができる。
【０００８】
また、請求項１に記載のＣＭ取得プログラムをメディアに記録してＡＶ装置に再生させ、ネットワーク上のサーバ群からＣＭ又は広告を取得させる構成とすることによって、ＣＭ取得プログラムと同様の効果を奏するＣＭ取得システムを実現することができる。
【発明を実施するための最良の形態】
【０００９】
以下、実施例を示した図面を参照しつつ本発明の実施の形態について説明する。以下、ＴＶ番組、ディスクに格納された映画等のコンテンツの再生を可能とするＡＶ装置として、ディスクの再生が可能でもある記録再生装置をとって説明する。
図１は、本発明によるＣＭ取得システムの一実施例を示すブロック構成図である。記録再生装置１は、ＡＶディスクの再生が可能なディスク再生部１１、所定のデータを格納する視聴データ格納部１２、制御処理部１３、及びインターネット接続を可能とするネットワークＩ／Ｆ部１４を備える。
【００１０】
ここで、ディスク再生部１１は、所定のＡＶディスクの再生が可能となっている。ＡＶディスクとしては、例えば、ＢＤ−ＲＯＭ（Blu-ray Disk−ROM）、ＢＤ−Ｒ（Recordable）、ＢＤ−ＲＥ（Re-Writable）、ＤＶＤ−ＲＯＭ（Digital
Versatile Disk−ROM）、DVD±R、DVD±RW（Re−Writable）等が対象となる。
【００１１】
視聴データ格納部１２は、少なくとも、ユーザ嗜好データＤＵとインデックス情報ＤＩを格納する。ユーザ嗜好データＤＵは、ユーザのＣＭ（広告）に対する嗜好の決定に使用可能なデータであり、ＡＶ情報を含む。ここで、ＡＶ情報は、電子番組ガイド、コンテンツタイトル、番組又はコンテンツの視聴頻度、その視聴時間、そのキーワード等からなる。
【００１２】
また、インデックス情報ＤＩは、例えば、ユーザの嗜好に合ったＣＭ（広告）と、これを取得可能なインターネット上のＵＲＬ（Uniform Resource Location）とを有する。ここで、ＣＭ（広告）は、ネットワーク３上の所定の広告サーバ２ａ、２ｂ、・・・、２ｎからなる広告サーバ群２から提供を受けることが可能となっている。インデックス情報ＤＩは、電子番組ガイド、ＣＭ（広告）等を受信した都度必要に応じて更新される。
【００１３】
図２は、制御処理部がＯＳとＪａｖａプログラムの実行環境を有するときの記録再生装置の動作についての説明図である。ここで、ＡＶディスク１１１には、図２に示すように、ＣＭ取得プログラム１１Ｐが予め格納されている。ＣＭ取得プログラム１１Ｐは、制御処理部１３のＯＳ（１３Ａ）上のＪａｖａプログラムの実行環境１３Ｂ下で実行されて広告サーバ２ａ、２ｂ、・・・、２ｎからＣＭ（広告）の取得を可能とする。ＣＭ取得プログラム１１Ｐは、ユーザ嗜好データＤＵに基づいてユーザに最適なＣＭ（広告）を選択することを可能となる。
【００１４】
図３は、図１に示すユーザ嗜好データの構成例についての説明図である。ユーザ嗜好データＤＵは、ＸＭＬ（eXtensible
Markup Language）形式ファイルＤＵ１、及び、ＸＭＬ形式ファイルＤＵ１のマッピングファイルＤＵ２を有する。ここで、マッピングファイルＤＵ２は、ＸＭＬ形式ファイルＤＵ１中の所定の構成情報群を１つの項目に対応付けて表す。
【００１５】
ＸＭＬ形式ファイルＤＵ１の代わりに、ＸＭＬ形式を拡張したNewsML形式のファイルとするでもよい。NewsML形式は、ＪＩＳ  Ｘ  ７２０１として国際標準とされ、ＩＰＴＣ（国際新聞電気通信評議会）等によって管理が行われ、例えば、新聞、通信社等のメディアで広く採用されている。
【００１６】
NewsML形式のファイルとすることによって、広く普及している規格に適合し、記録再生方式に依存しない統一的なＣＭ取得プログラム１１Ｐを作成することが可能となるためである。また、今日のＪａｖａが普及している状況下では、Ｊａｖａと適合性のよいＸＭＬ形式を採用することは好ましく、ＣＭ取得プログラム１１Ｐも通常Ｊａｖａで記載されることとなる。
【００１７】
普及しているNewsML及びＪａｖａを採用することによって、将来的に放送、映画業界等のメディアで規格が統一された場合であっても、ＣＭ取得プログラム１１Ｐ、ユーザ嗜好データＤＵ及び記録再生装置１の新規格への移行が実現されやすい。ユーザ嗜好データＤＵは、図３に示すように、ジャンル、分類、キーワード、関心度合い等の項目について設定されている。
【００１８】
図４は、図１に示すインデックス情報の構成例についての説明図である。インデックス情報ＤＩは、ユーザ嗜好データＤＵと同様に、ＸＭＬ形式ファイルＤＩ１、及び、ＸＭＬ形式ファイルＤＩ１のマッピングファイルＤＩ２を有する。ここで、ＸＭＬ形式ファイルＤＩ１は、上記のNewsML形式のファイルとする。
【００１９】
インデックス情報ＤＩは、図４に示すように、ＣＭ（広告）取得先のＵＲＬに加え、コンテンツ（番組を含む）を特定するためのタイトル、分類、監督名、劇場公開日、複数の出演者名等の情報をも有する。また、タイトルが連載回数を含むのでもよい。ＣＭ取得プログラム１１Ｐは、ユーザ嗜好データＤＵ中の視聴頻度、視聴時間等に基づいて、関心度合いの高いジャンル、分類、キーワード等を抽出し、抽出した情報に基づいてインデックス情報ＤＩ中の最適なＣＭ（広告）を決定する。ＣＭ取得プログラム１１Ｐは、また、決定したＣＭ（広告）の取得先ＵＲＬを抽出し、対応する広告サーバ２ａ、２ｂ、・・・、２ｎからＣＭ（広告）を取得する。
【００２０】
図５は、ＣＭ取得プログラムの実行に伴って制御処理部が行うＣＭ取得処理について説明するフローチャートである。ＣＭ取得処理に先立ち、制御処理部１３は、ディスク再生部１１がＡＶディスク１１１の挿入を検出したとき、ディスク再生部１１を介してディスクに格納されたＣＭ取得プログラム１１Ｐを読み出して立ち上げを完了しているものとする。
【００２１】
ＣＭ取得処理では、まず、制御処理部１３が、ネットワークＩ／Ｆ部１４の検出処理を行い（Ｓ１０１）、ネットワークＩ／Ｆ部１４があるか否かを判断する（Ｓ１０２）。ステップＳ１０２でネットワークＩ／Ｆ部１４がないと判断されたとき、制御処理部１３がＡＶディスクに格納されているＣＭ（広告）を取得して（Ｓ１０３）インデックス情報を更新し（Ｓ１０４）、処理はステップＳ１１１に跳ぶ。
【００２２】
ステップＳ１０２でネットワークＩ／Ｆ部１４があると判断されたとき、制御処理部１３がインデックス情報ＤＩの検出処理を行い（Ｓ１０５）、インデックス情報ＤＩがあるか否かを判断する（Ｓ１０６）。ステップＳ１０６でインデックス情報ＤＩがないと判断されたとき、処理はステップＳ１０３に跳び、制御処理部１３が上記と同様の処理を行う。
【００２３】
ステップＳ１０６でインデックス情報ＤＩがあると判断されたとき、制御処理部１３がユーザ嗜好データＤＵの検出処理を行い（Ｓ１０７）、ユーザ嗜好データＤＵがあるか否かを判断する（Ｓ１０８）。ステップＳ１０８でユーザ嗜好データＤＵがないと判断されたとき、処理はステップＳ１０３に跳び、制御処理部１３が上記と同様の処理を行う。
【００２４】
ステップＳ１０８でユーザ嗜好データＤＵがあると判断されたとき、制御処理部１３が、ユーザ嗜好データＤＵとインデックス情報ＤＩに基づいてユーザの嗜好に合ったＣＭ（広告）を決定して読み出す（Ｓ１０９）。嗜好に合ったＣＭ（広告）の決定は、以下のように行われる。上記のように、まず、ユーザ嗜好データＤＵ中の視聴頻度、視聴時間等に基づいて関心度合いの高いジャンル、分類、キーワード等が抽出される。次に、抽出された情報に関連性の高いものが、インデックス情報ＤＩ中から嗜好に合ったＣＭ（広告）として決定される。
【００２５】
次に、制御処理部１３が、ネットワーク３上の対応する広告サーバ２ａ、２ｂ、・・・、２ｎからステップＳ１０９で決定したＣＭ（広告）を取得する（Ｓ１１０）。
【００２６】
ステップＳ１０４でインデックス情報を更新したとき、又は、ステップＳ１１０でＣＭ（広告）を取得したとき、制御処理部１３が、ＣＭ（広告）を再生する（Ｓ１１１）。なお、ステップＳ１１０でＣＭ（広告）が取得できないとき、制御処理部１３は、ステップＳ１１１でＡＶディスク中のＣＭ（広告）を再生する。ステップＳ１１１でＣＭ（広告）を再生したとき、制御処理部１３が、ユーザ嗜好データＤＵを更新し（Ｓ１１２）、処理は終了する。
【産業上の利用可能性】
【００２７】
本発明によるＣＭ取得システム及びそのプログラムは、家庭用のＡＶ装置、これにより再生されるメディア等として又はこれらを介して使用され、情報機器製造業、ソフトウェア製造業等において利用可能であり、個人情報の保護等においてこのような製品の有用性を増進する。
【図面の簡単な説明】
【００２８】
【図１】本発明によるＣＭ取得システムの一実施例を模式的に示すブロック構成図である。
【図２】制御処理部がＯＳとＪａｖａプログラムの実行環境を有するときの記録再生装置の動作についての説明図である。
【図３】図１に示すユーザ嗜好データの構成例についての説明図である。
【図４】図１に示すインデックス情報の構成例についての説明図である。
【図５】ＣＭ取得プログラムの実行に伴って制御処理部が行うＣＭ取得処理について説明するフローチャートである。
【符号の説明】
【００２９】
１  記録再生装置
２  広告サーバ群
２ａ、２ｂ、・・・、２ｎ  広告サーバ
３  ネットワーク
１１  ディスク再生部
１２  視聴データ格納部
１３  制御処理部
１４  ネットワークＩ／Ｆ部
１１１  ＡＶディスク
１１Ｐ  ＣＭ取得プログラム
１３Ａ  ＯＳ
１３Ｂ  Ｊａｖａ実行環境
ＤＩ  インデックス情報
ＤＩ１、ＤＵ１  ＸＭＬ形式ファイル
ＤＩ２、ＤＵ２  マッピングファイル
ＤＵ  ユーザ嗜好データ
【図１】
2010081490.tif 000003
【図２】
2010081490.tif 000004
【図３】
2010081490.tif 000005
【図４】
2010081490.tif 000006
【図５】
2010081490.tif 000007